(57)【要約】      （修正有）【課題】心肺蘇生を行う間に心肺蘇生フィードバックを個人に提供する除細動器を提供する。【解決手段】生体信号を測定し、ＣＰＲ必要／不要時にＣＰＲ開始／停止信号を生成する生体信号測定システム２２と、胸部圧迫信号を測定するＣＰＲ測定システム２４と、圧迫信号により第１のＣＰＲパフォーマンス測定値を確立し、ＣＰＲパフォーマンスベースラインに設定するステップと、更なる複数の圧迫信号を使用して、更なるＣＰＲパフォーマンス測定値を確立して、ＣＰＲパフォーマンスベースラインと比較を行い、その結果により、ＣＰＲパフォーマンスベースラインを更なるＣＰＲパフォーマンス測定値に設定し、また第２／第３のフィードバック信号を生成することを繰り返し、更にＣＰＲ開始／停止信号により第1／第４のフィードバック信号を生成するＣＰＲ評価システム２６と、ＣＰＲフィードバックを発するフィードバックユニット２８と、を具える除細動器。【選択図】図１
2020131037.tif 000002
【特許請求の範囲】
【請求項１】
個人が被験者に対して行った心肺蘇生（ＣＰＲ）を評価し、前記個人にＣＰＲフィードバックを提供する除細動器であって、
前記被験者の生体信号を測定し、ＣＰＲが必要なときを判定してＣＰＲ開始信号を生成し、ＣＰＲが不要なときを判定してＣＰＲ停止信号を生成するように構成された生体信号測定システムと、
前記個人によるＣＰＲ胸部圧迫中に圧迫信号を測定するように構成されたＣＰＲ測定システムと、
前記生体信号測定システムに接続されて前記ＣＰＲ開始信号およびＣＰＲ停止信号を受信し、かつ前記ＣＰＲ測定システムに接続されて圧迫信号を受信するＣＰＲ評価システムであって、
（ｉ）前記ＣＰＲ開始信号を受信し、第１のフィードバック信号を生成するステップと、
（ｉｉ）前記個人による第１の複数の胸部圧迫中に測定された圧迫信号を受信するステップと、
（ｉｉｉ）前記圧迫信号を使用して、前記個人の第１のＣＰＲパフォーマンス測定値を確立するステップと、
（ｉｖ）前記個人のＣＰＲパフォーマンスベースラインを、前記個人の第１のＣＰＲパフォーマンス測定値に等しく設定するステップと、
（ｖ）前記個人による更なる複数の胸部圧迫中に測定された圧迫信号を受信するステップと、
（ｖｉ）前記圧迫信号を使用して、前記個人の更なるＣＰＲパフォーマンス測定値を確立するステップと、
（ｖｉｉ）前記個人の更なるＣＰＲパフォーマンス測定値を、前記個人のＣＰＲパフォーマンスベースラインと比較するステップと、
（ｖｉｉｉ）前記個人の更なるＣＰＲパフォーマンス測定値が前記個人のＣＰＲパフォーマンスベースラインよりも大きい場合、第２のフィードバック信号を生成するとともに、前記個人のＣＰＲパフォーマンスベースラインを、前記個人の更なるＣＰＲパフォーマンス測定値に等しく設定し、ステップ（ｘ）に進むステップと、
（ｉｘ）前記個人の更なるＣＰＲパフォーマンス測定値が前記個人のＣＰＲパフォーマンスベースラインよりも小さい場合、第３のフィードバック信号を生成し、ステップ（ｘ）に進むステップと、
（ｘ）前記ＣＰＲ停止信号が受信されない場合、ステップ（ｖ）に戻るステップと、
（ｘｉ）前記ＣＰＲ停止信号が受信された場合、第４のフィードバック信号を生成するステップと、
を行うように構成されたＣＰＲ評価システムと、
前記ＣＰＲ評価システムに接続されて、前記フィードバック信号を受信するとともにＣＰＲフィードバックを前記個人に発するように構成されたフィードバックユニットと、を具えることを特徴とする除細動器。
【請求項２】
請求項１に記載の除細動器において、ステップ（ｖｉｉｉ）乃至（ｘ）は、
（ｖｉｉｉ）前記更なるＣＰＲパフォーマンス測定値が前記ＣＰＲパフォーマンスベースラインよりも大きい場合、前記第２のフィードバック信号を生成するとともに、前記ＣＰＲパフォーマンスベースラインを、前記更なるＣＰＲパフォーマンス測定値に等しく設定し、ステップ（ｘ）（ａ）に進むステップと、
（ｉｘ）前記更なるＣＰＲパフォーマンス測定値が前記ＣＰＲパフォーマンスベースラインよりも小さい場合、前記第３のフィードバック信号を生成し、ステップ（ｘ）（ｂ）に進むステップと、
（ｘ）（ａ）前記ＣＰＲ停止信号が受信されない場合、複数の胸部圧迫を待ち、ステップ（ｖ）に戻るステップと、
（ｘ）（ｂ）前記ＣＰＲ停止信号が受信されない場合、ステップ（ｖ）に戻るステップと、
を含むように変更されることを特徴とする除細動器。
【請求項３】
請求項１または２に記載の除細動器において、ステップ（ｉｉ）乃至（ｉｖ）は、
（ｉｉ）第１の複数の胸部圧迫中に測定された第１の圧迫信号と、第２の複数の胸部圧迫中に測定された少なくとも第２の圧迫信号とを受信するステップと、
（ｉｉｉ）前記第１の圧迫信号を使用して、第１のＣＰＲパフォーマンス測定値を確立し、前記少なくとも第２の圧迫信号を使用して、少なくとも第２のＣＰＲパフォーマンス測定値を確立するステップと、
（ｉｖ）ＣＰＲパフォーマンスベースラインを、前記第１のＣＰＲパフォーマンス測定値および前記少なくとも第２のＣＰＲパフォーマンス測定値のうちの大きい方に等しく設定するステップと、
を含むように変更されることを特徴とする除細動器。
【請求項４】
請求項１乃至３の何れか一項に記載の除細動器において、ステップ（ｖ）乃至（ｘ）は、
（ｖ）（ａ）ＣＰＲカウンタを、ｘに等しく設定するステップと、
（ｖ）（ｂ）更なる複数の胸部圧迫中に測定された圧迫信号を受信するステップと、
（ｖｉ）前記圧迫信号を使用して、更なるＣＰＲパフォーマンス測定値を確立するステップと、
（ｖｉｉ）前記更なるＣＰＲパフォーマンス測定値を前記ＣＰＲパフォーマンスベースラインと比較するステップと、
（ｖｉｉｉ）前記更なるＣＰＲパフォーマンス測定値が前記ＣＰＲパフォーマンスベースラインよりも大きい場合、前記第２のフィードバック信号を生成するとともに、前記ＣＰＲパフォーマンスベースラインを、前記更なるＣＰＲパフォーマンス測定値に等しく設定し、ステップ（ｘ）（ａ）に進むステップと、
（ｉｘ）（ａ）前記更なるＣＰＲパフォーマンス測定値が前記ＣＰＲパフォーマンスベースラインよりも小さい場合、前記ＣＰＲカウンタがゼロに等しくない場合、前記第３のフィードバック信号を生成するとともに、前記ＣＰＲカウンタを１つ減らし、ステップ（ｘ）（ｂ）に進むステップと、
（ｉｘ）（ｂ）前記更なるＣＰＲパフォーマンス測定値が前記ＣＰＲパフォーマンスベースラインよりも小さい場合、前記ＣＰＲカウンタがゼロに等しい場合、前記第２のフィードバック信号を生成するとともに、前記ＣＰＲパフォーマンスベースラインを下げ、ステップ（ｘ）（ａ）に進むステップと、
（ｘ）（ａ）前記ＣＰＲ停止信号が受信されない場合、ステップ（ｖ）（ａ）に戻るステップと、
（ｘ）（ｂ）前記ＣＰＲ停止信号が受信されない場合、ステップ（ｖ）（ｂ）に戻るステップと、
を含むように変更されることを特徴とする除細動器。
【請求項５】
請求項１乃至４の何れか一項に記載の除細動器において、ステップ（ｉｉ）は、
（ｉｉ）（ａ）ＣＰＲカウンタを、ｘに等しく設定するステップと、
（ｉｉ）（ｂ）第１の複数の胸部圧迫中に測定された圧迫信号を受信するステップと、
（ｉｉ）（ｃ）前記第１の複数の胸部圧迫中に測定された圧迫速度を受信するステップと、
（ｉｉ）（ｄ）測定された前記圧迫速度を必要最小限の圧迫速度と比較するステップと、
（ｉｉ）（ｅ）測定された前記圧迫速度が前記必要最小限の圧迫速度よりも大きい場合、ステップ（ｉｉｉ）に進むステップと、
（ｉｉ）（ｆ）測定された前記圧迫速度が前記必要最小限の圧迫速度よりも小さい場合、前記ＣＰＲカウンタがゼロに等しくない場合、前記ＣＰＲカウンタを１つ減らし、第５のフィードバック信号を生成し、ステップ（ｉｉ）（ｂ）に進むステップと、
（ｉｉ）（ｇ）測定された前記圧迫速度が前記必要最小限の圧迫速度よりも小さい場合、前記ＣＰＲカウンタがゼロに等しい場合、ステップ（ｉｉｉ）に進むステップと、
を含むように変更されることを特徴とする除細動器。
【請求項６】
請求項１乃至４の何れか一項に記載の除細動器において、ステップ（ｉｉ）は、
（ｉｉ）（ａ）ＣＰＲカウンタを、ｘに等しく設定するステップと、
（ｉｉ）（ｂ）第１の複数の胸部圧迫中に測定された圧迫信号を受信するステップと、
（ｉｉ）（ｃ）前記第１の複数の胸部圧迫中に測定された圧迫速度を受信するステップと、
（ｉｉ）（ｄ）測定された前記圧迫速度を必要最大限の圧迫速度と比較するステップと、
（ｉｉ）（ｅ）測定された前記圧迫速度が前記必要最大限の圧迫速度よりも小さい場合、ステップ（ｉｉｉ）に進むステップと、
（ｉｉ）（ｆ）測定された前記圧迫速度が前記必要最大限の圧迫速度よりも大きい場合、前記ＣＰＲカウンタがゼロに等しくない場合、前記ＣＰＲカウンタを１つ減らし、第６のフィードバック信号を生成し、ステップ（ｉｉ）（ｂ）に進むステップと、
（ｉｉ）（ｇ）測定された前記圧迫速度が前記必要最大限の圧迫速度よりも大きい場合、前記ＣＰＲカウンタがゼロに等しい場合、ステップ（ｉｉｉ）に進むステップと、
を含むように変更されることを特徴とする除細動器。
【請求項７】
請求項１乃至４の何れか一項に記載の除細動器において、ステップ（ｉｉ）は、
（ｉｉ）（ａ）ＣＰＲカウンタを、ｘに等しく設定するステップと、
（ｉｉ）（ｂ）第１の複数の胸部圧迫中に測定された圧迫信号を受信するステップと、
（ｉｉ）（ｃ）前記第１の複数の胸部圧迫中に測定された圧迫速度を受信するステップと、
（ｉｉ）（ｄ）測定された前記圧迫速度を、必要最小限の圧迫速度および必要最大限の圧迫速度と比較するステップと、
（ｉｉ）（ｅ）測定された前記圧迫速度が前記必要最小限の圧迫速度よりも大きい場合、測定された前記圧迫速度が前記必要最大限の圧迫速度よりも小さい場合、ステップ（ｉｉｉ）に進むステップと、
（ｉｉ）（ｆ）測定された前記圧迫速度が前記必要最小限の圧迫速度よりも小さい場合、前記ＣＰＲカウンタがゼロに等しくない場合、前記ＣＰＲカウンタを１つ減らし、第５のフィードバック信号を生成し、ステップ（ｉｉ）（ｂ）に進むステップと、
（ｉｉ）（ｇ）測定された前記圧迫速度が前記必要最小限の圧迫速度よりも小さい場合、前記ＣＰＲカウンタがゼロに等しい場合、ステップ（ｉｉｉ）に進むステップと、
（ｉｉ）（ｈ）測定された前記圧迫速度が前記必要最大限の圧迫速度よりも大きい場合、前記ＣＰＲカウンタがゼロに等しくない場合、前記ＣＰＲカウンタを１つ減らし、第６のフィードバック信号を生成し、ステップ（ｉｉ）（ｂ）に進むステップと、
（ｉｉ）（ｉ）測定された前記圧迫速度が前記必要最大限の圧迫速度よりも大きい場合、前記ＣＰＲカウンタがゼロに等しい場合、ステップ（ｉｉｉ）に進むステップと、
を含むように変更されることを特徴とする除細動器。
【請求項８】
請求項１乃至７の何れか一項に記載の除細動器において、ステップ（ｖ）は、
（ｖ）（ａ）ＣＰＲカウンタを、ｘに等しく設定するステップと、
（ｖ）（ｂ）更なる複数の胸部圧迫中に測定された圧迫信号を受信するステップと、
（ｖ）（ｃ）前記更なる複数の胸部圧迫中に測定された圧迫速度を受信するステップと、
（ｖ）（ｄ）測定された前記圧迫速度を必要最小限の圧迫速度と比較するステップと、
（ｖ）（ｅ）測定された前記圧迫速度が前記必要最小限の圧迫速度よりも大きい場合、ステップ（ｖｉ）に進むステップと、
（ｖ）（ｆ）測定された前記圧迫速度が前記必要最小限の圧迫速度よりも小さい場合、前記ＣＰＲカウンタがゼロに等しくない場合、前記ＣＰＲカウンタを１つ減らし、第５のフィードバック信号を生成し、ステップ（ｖ）（ｂ）に進むステップと、
（ｖ）（ｇ）測定された前記圧迫速度が前記必要最小限の圧迫速度よりも小さい場合、前記ＣＰＲカウンタがゼロに等しい場合、ステップ（ｖｉ）に進むステップと、
を含むように変更されることを特徴とする除細動器。
【請求項９】
請求項１乃至７の何れか一項に記載の除細動器において、ステップ（ｖ）は、
（ｖ）（ａ）ＣＰＲカウンタを、ｘに等しく設定するステップと、
（ｖ）（ｂ）更なる複数の胸部圧迫中に測定された圧迫信号を受信するステップと、
（ｖ）（ｃ）前記更なる複数の胸部圧迫中に測定された圧迫速度を受信するステップと、
（ｖ）（ｄ）測定された前記圧迫速度を必要最大限の圧迫速度と比較するステップと、
（ｖ）（ｅ）測定された前記圧迫速度が前記必要最大限の圧迫速度よりも小さい場合、ステップ（ｖｉ）に進むステップと、
（ｖ）（ｆ）測定された前記圧迫速度が必要最大限の圧迫速度よりも大きい場合、前記ＣＰＲカウンタがゼロに等しくない場合、前記ＣＰＲカウンタを１つ減らし、第６のフィードバック信号を生成し、ステップ（ｖ）（ｂ）に進むステップと、
（ｖ）（ｇ）測定された前記圧迫速度が前記必要最大限の圧迫速度よりも大きい場合、前記ＣＰＲカウンタがゼロに等しい場合、ステップ（ｖｉ）に進むステップと、
を含むように変更されることを特徴とする除細動器。
【請求項１０】
請求項１乃至７の何れか一項に記載の除細動器において、ステップ（ｖ）は、
（ｖ）（ａ）ＣＰＲカウンタを、ｘに等しく設定するステップと、
（ｖ）（ｂ）更なる複数の胸部圧迫中に測定された圧迫信号を受信するステップと、
（ｖ）（ｃ）前記更なる複数の胸部圧迫中に測定された圧迫速度を受信するステップと、
（ｖ）（ｄ）測定された前記圧迫速度を必要最小限の圧迫速度および必要最大限の圧迫速度と比較するステップと、
（ｖ）（ｅ）測定された前記圧迫速度が前記必要最小限の圧迫速度よりも大きい場合、測定された前記圧迫速度が前記必要最大限の圧迫速度よりも小さい場合、ステップ（ｖｉ）に進むステップと、
（ｖ）（ｆ）測定された前記圧迫速度が前記必要最小限の圧迫速度よりも小さい場合、前記ＣＰＲカウンタがゼロに等しくない場合、前記ＣＰＲカウンタを１つ減らし、第５のフィードバック信号を生成し、ステップ（ｖ）（ｂ）に進むステップと、
（ｖ）（ｇ）測定された前記圧迫速度が前記必要最小限の圧迫速度よりも小さい場合、前記ＣＰＲカウンタがゼロに等しい場合、ステップ（ｖｉ）に進むステップと、
（ｖ）（ｈ）測定された前記圧迫速度が前記必要最大限の圧迫速度よりも大きい場合、前記ＣＰＲカウンタがゼロに等しくない場合、ステップ（ｖ）（ｂ）に進むステップと、
（ｖ）（ｉ）測定された前記圧迫速度が前記必要最大限の圧迫速度よりも大きい場合、前記ＣＰＲカウンタがゼロに等しい場合、ステップ（ｖｉ）に進むステップと、
を含むように変更されることを特徴とする除細動器。
【請求項１１】
請求項１乃至１０の何れか一項に記載の除細動器において、前記ＣＰＲ評価システムは、ステップ（ｉｉｉ）の後に、
（ｉｉｉ）（ａ）前記第１のＣＰＲパフォーマンス測定値を最小のＣＰＲパフォーマンス測定値と比較し、前記第１のＣＰＲパフォーマンス測定値が前記最小のＣＰＲパフォーマンス測定値よりも大きい場合、ステップ（ｉｖ）に進み、前記第１のＣＰＲパフォーマンス測定値が前記最小のＣＰＲパフォーマンス測定値よりも小さい場合、第３のプロンプト信号を生成し、ステップ（ｉｉ）に戻るステップ
を行うように構成されることを特徴とする除細動器。
【請求項１２】
請求項１１に記載の除細動器において、前記ＣＰＲ評価システムは、ステップ（ｉｉｉ）（ａ）の後に、
（ｉｉｉ）（ｂ）前記第１のＣＰＲパフォーマンス測定値を最大のＣＰＲパフォーマンス測定値と比較し、前記第１のＣＰＲパフォーマンス測定値が前記最大のＣＰＲパフォーマンス測定値よりも小さい場合、ステップ（ｉｖ）に進み、前記第１のＣＰＲパフォーマンス測定値が前記最大のＣＰＲパフォーマンス測定値よりも大きい場合、第７のプロンプト信号を生成し、ステップ（ｉｉ）に戻るステップ
を行うように構成されることを特徴とする除細動器。
【請求項１３】
請求項１乃至１２の何れか一項に記載の除細動器において、前記ＣＰＲ評価システムは、ステップ（ｖｉ）の後に、
（ｖｉ）（ａ）前記更なるＣＰＲパフォーマンス測定値を最小のＣＰＲパフォーマンス測定値と比較し、前記更なるＣＰＲパフォーマンス測定値が前記最小のＣＰＲパフォーマンス測定値よりも大きい場合、ステップ（ｖｉｉ）に進み、前記更なるＣＰＲパフォーマンス測定値が前記最小のＣＰＲパフォーマンス測定値よりも小さい場合、第３のプロンプト信号を生成し、ステップ（ｖ）に進むステップ
を行うように構成されることを特徴とする除細動器。
【請求項１４】
請求項１３に記載の除細動器において、前記ＣＰＲ評価システムは、ステップ（ｖｉ）（ａ）の後に、
（ｖｉ）（ｂ）前記更なるＣＰＲパフォーマンス測定値を最大のＣＰＲパフォーマンス測定値と比較し、前記更なるＣＰＲパフォーマンス測定値が前記最大のＣＰＲパフォーマンス測定値よりも小さい場合、ステップ（ｖｉｉ）に進み、前記更なるＣＰＲパフォーマンス測定値が前記最大のＣＰＲパフォーマンス測定値よりも大きい場合、第７のプロンプト信号を生成し、ステップ（ｖ）に戻るステップ
を行うように構成されることを特徴とする除細動器。
【請求項１５】
請求項１乃至１４の何れか一項に記載の除細動器において、前記ＣＰＲ測定システムは、前記第１の複数の胸部圧迫中、および前記更なる複数の胸部圧迫中に、前記胸部圧迫中の前記被験者の胸部の変位信号を含む圧迫信号を測定することを特徴とする除細動器。
【請求項１６】
請求項１乃至１５の何れか一項に記載の除細動器において、前記ＣＰＲ測定システムは、前記第１の複数の胸部圧迫中、および前記更なる複数の胸部圧迫中に、前記胸部圧迫中の前記被験者の圧迫感度生理信号を含む圧迫信号を測定することを特徴とする除細動器。
【請求項１７】
請求項１６に記載の除細動器において、前記被験者の圧迫感度生理信号が、胸部インピーダンス信号からなることを特徴とする除細動器。
【発明の詳細な説明】
【技術分野】
【０００１】
本発明は、被験者に対してＣＰＲを行う間に心肺蘇生（ＣＰＲ）フィードバックを個人に提供する除細動器に関する。
【背景技術】
【０００２】
除細動器が、被験者に対してＣＰＲを行うよう個人に指示するとき、さまざまな状況が生じ得る。ＣＰＲは、心臓が循環器を巡って血液を送り出すように被験者の胸部を圧迫し、主に被験者の心臓と脳に酸素を含む血液を供給する。胸部の圧迫が浅すぎると、心臓は、十分な酸素を含む血液を送り出すことができず、心臓および脳組織が死に始める。効果的なＣＰＲのために、ガイドラインでは、被験者の胸部の具体的な目標の圧迫深度を推奨する。ただし、通常、殆どの個人はこの目標の深度を達成しない。除細動器は、個人のＣＰＲパフォーマンスとガイドラインが設定する目標深度との比較に基づいてフィードバックを提供し、目標に到達しない場合、個人を落胆させ得る。いくつかのＣＰＲ期間における個人のＣＰＲパフォーマンスの比較に基づくフィードバックにより、ＣＰＲパフォーマンスを改善することが可能である。
【発明の概要】
【０００３】
本発明の目的は、個人が被験者に対して行ったＣＰＲを評価し、個人のＣＰＲパフォーマンスに基づいてＣＰＲフィードバックを個人に提供する除細動器を提供することである。
【０００４】
本発明によれば、個人が被験者に対して行った心肺蘇生（ＣＰＲ）を評価し、個人にＣＰＲフィードバックを提供する除細動器であって、
被験者の生体信号を測定し、ＣＰＲが必要なときを判定してＣＰＲ開始信号を生成し、ＣＰＲを停止すべきときを判定してＣＰＲ停止信号を生成するように構成された生体信号測定システムと、
個人によるＣＰＲ胸部圧迫中に圧迫信号を測定するように構成されたＣＰＲ測定システムと、
生体信号測定システムに接続されてＣＰＲ開始信号およびＣＰＲ停止信号を受信し、かつＣＰＲ測定システムに接続されて圧迫信号を受信するＣＰＲ評価システムであって、
（ｉ）ＣＰＲ開始信号を受信し、第１のフィードバック信号を生成するステップと、
（ｉｉ）個人による第１の複数の胸部圧迫中に測定された圧迫信号を受信するステップと、
（ｉｉｉ）圧迫信号を使用して、個人の第１のＣＰＲパフォーマンス測定値を確立するステップと、
（ｉｖ）個人のＣＰＲパフォーマンスベースラインを、個人の第１のＣＰＲパフォーマンス測定値に等しく設定するステップと、
（ｖ）個人による更なる複数の胸部圧迫中に測定された圧迫信号を受信するステップと、
（ｖｉ）圧迫信号を使用して、個人の更なるＣＰＲパフォーマンス測定値を確立するステップと、
（ｖｉｉ）個人の更なるＣＰＲパフォーマンス測定値を、個人のＣＰＲパフォーマンスベースラインと比較するステップと、
（ｖｉｉｉ）個人の更なるＣＰＲパフォーマンス測定値が個人のＣＰＲパフォーマンスベースラインよりも大きい場合、第２のフィードバック信号を生成するとともに、個人のＣＰＲパフォーマンスベースラインを、個人の更なるＣＰＲパフォーマンス測定値に等しく設定し、ステップ（ｘ）に進むステップと、
（ｉｘ）個人の更なるＣＰＲパフォーマンス測定値が個人のＣＰＲパフォーマンスベースラインよりも小さい場合、第３のフィードバック信号を生成し、ステップ（ｘ）に進むステップと、
（ｘ）ＣＰＲ停止信号が受信されない場合、ステップ（ｖ）に戻るステップと、
（ｘｉ）ＣＰＲ停止信号が受信された場合、第４のフィードバック信号を生成するステップと、
を行うように構成されたＣＰＲ評価システムと、
ＣＰＲ評価システムに接続されて、フィードバック信号を受信するとともにＣＰＲフィードバックを個人に発するように構成されたフィードバックユニットと、を具える除細動器が提供される。
【０００５】
除細動器は、複数のＣＰＲ胸部圧迫中に個人のＣＰＲパフォーマンスを測定し、個人のＣＰＲパフォーマンスの自己比較を使用して適切なＣＰＲフィードバックを提供する。
【０００６】
ステップ（ｖｉｉｉ）乃至（ｘ）は、
（ｖｉｉｉ）更なるＣＰＲパフォーマンス測定値がＣＰＲパフォーマンスベースラインよりも大きい場合、第２のフィードバック信号を生成するとともに、ＣＰＲパフォーマンスベースラインを、更なるＣＰＲパフォーマンス測定値に等しく設定し、ステップ（ｘ）（ａ）に進むステップと、
（ｉｘ）更なるＣＰＲパフォーマンス測定値がＣＰＲパフォーマンスベースラインよりも小さい場合、第３のフィードバック信号を生成し、ステップ（ｘ）（ｂ）に進むステップと、
（ｘ）（ａ）ＣＰＲ停止信号が受信されない場合、ステップ（ｖ）に戻るステップと、
（ｘ）（ｂ）ＣＰＲ停止信号が受信されない場合、複数の胸部圧迫を待ち、ステップ（ｖ）に戻るステップと、
を含むように変更することができる。
【０００７】
ステップ（ｖｉｉｉ）乃至（ｘ）は、
（ｖｉｉｉ）更なるＣＰＲパフォーマンス測定値がＣＰＲパフォーマンスベースラインよりも大きい場合、第２のフィードバック信号を生成するとともに、ＣＰＲパフォーマンスベースラインを、更なるＣＰＲパフォーマンス測定値に等しく設定し、ステップ（ｘ）（ａ）に進むステップと、
（ｉｘ）更なるＣＰＲパフォーマンス測定値がＣＰＲパフォーマンスベースラインよりも小さい場合、第３のフィードバック信号を生成し、ステップ（ｘ）（ｂ）に進むステップと、
（ｘ）（ａ）ＣＰＲ停止信号が受信されない場合、複数の胸部圧迫を待ち、ステップ（ｖ）に戻るステップと、
（ｘ）（ｂ）ＣＰＲ停止信号が受信されない場合、ステップ（ｖ）に戻るステップと、
を含むように変更することができる。
【０００８】
ステップ（ｖｉｉｉ）乃至（ｘ）は、
（ｖｉｉｉ）更なるＣＰＲパフォーマンス測定値がＣＰＲパフォーマンスベースラインよりも大きい場合、第２のフィードバック信号を生成するとともに、ＣＰＲパフォーマンスベースラインを、更なるＣＰＲパフォーマンス測定値に等しく設定し、ステップ（ｘ）（ａ）に進むステップと、
（ｉｘ）更なるＣＰＲパフォーマンス測定値がＣＰＲパフォーマンスベースラインよりも小さい場合、第３のフィードバック信号を生成し、ステップ（ｘ）（ｂ）に進むステップと、
（ｘ）（ａ）ＣＰＲ停止信号が受信されない場合、複数の胸部圧迫を待ち、ステップ（ｖ）に戻るステップと、
（ｘ）（ｂ）ＣＰＲ停止信号が受信されない場合、複数の胸部圧迫を待ち、ステップ（ｖ）に戻るステップと、
を含むように変更することができる。
【０００９】
ステップ（ｉｉ）乃至（ｉｖ）は、
（ｉｉ）個人による第１の複数の胸部圧迫中に測定された第１の圧迫信号と、個人による第２の複数の胸部圧迫中に測定された少なくとも第２の圧迫信号とを受信するステップと、
（ｉｉｉ）第１の圧迫信号を使用して、第１のＣＰＲパフォーマンス測定値を確立し、少なくとも第２の圧迫信号を使用して、少なくとも第２のＣＰＲパフォーマンス測定値を確立するステップと、
（ｉｖ）ＣＰＲパフォーマンスベースラインを、第１のＣＰＲパフォーマンス測定値および少なくとも第２のＣＰＲパフォーマンス測定値のうちの大きい方に等しく設定するステップと、
を含むように変更することができる。
【００１０】
ステップ（ｖ）乃至（ｘ）は、
（ｖ）（ａ）ＣＰＲカウンタを、ｘに等しく設定するステップと、
（ｖ）（ｂ）個人による更なる複数の胸部圧迫中に測定された圧迫信号を受信するステップと、
（ｖｉ）圧迫信号を使用して、更なるＣＰＲパフォーマンス測定値を確立するステップと、
（ｖｉｉ）更なるＣＰＲパフォーマンス測定値をＣＰＲパフォーマンスベースラインと比較するステップと、
（ｖｉｉｉ）更なるＣＰＲパフォーマンス測定値がＣＰＲパフォーマンスベースラインよりも大きい場合、第２のフィードバック信号を生成するとともに、ＣＰＲパフォーマンスベースラインを、更なるＣＰＲパフォーマンス測定値に等しく設定し、ステップ（ｘ）（ａ）に進むステップと、
（ｉｘ）（ａ）更なるＣＰＲパフォーマンス測定値がＣＰＲパフォーマンスベースラインよりも小さい場合、ＣＰＲカウンタがゼロに等しくない場合、第３のフィードバック信号を生成するとともに、ＣＰＲカウンタを１つ減らし、ステップ（ｘ）（ｂ）に進むステップと、
（ｉｘ）（ｂ）更なるＣＰＲパフォーマンス測定値がＣＰＲパフォーマンスベースラインよりも小さい場合、ＣＰＲカウンタがゼロに等しい場合、第２のフィードバック信号を生成するとともに、ＣＰＲパフォーマンスベースラインを下げ、ステップ（ｘ）（ａ）に進むステップと、
（ｘ）（ａ）ＣＰＲ停止信号が受信されない場合、ステップ（ｖ）（ａ）に戻るステップと、
（ｘ）（ｂ）ＣＰＲ停止信号が受信されない場合、ステップ（ｖ）（ｂ）に戻るステップと、
を含むように変更することができる。
【００１１】
ＣＰＲパフォーマンスベースラインを下げるステップは、ＣＰＲパフォーマンスベースラインを、更なるＣＰＲパフォーマンス測定値に等しく設定するステップを含むことができる。ＣＰＲパフォーマンスベースラインを下げるステップは、ＣＰＲパフォーマンスベースラインを、更なるＣＰＲパフォーマンス測定値のうちの大きい方に等しく設定するステップを含むことができる。
【００１２】
ステップ（ｘ）（ａ）は、ＣＰＲ停止信号が受信されない場合、複数の圧迫を待ち、ステップ（ｖ）（ａ）に戻るステップを含むことができる。ステップ（ｘ）（ｂ）は、ＣＰＲ停止信号が受信されない場合、複数の圧迫を待ち、ステップ（ｖ）（ｂ）に戻るステップを含むことができる。
【００１３】
ステップ（ｉｉ）は、
（ｉｉ）（ａ）ＣＰＲカウンタを、ｘに等しく設定するステップと、
（ｉｉ）（ｂ）個人による第１の複数の胸部圧迫中に測定された圧迫信号を受信するステップと、
（ｉｉ）（ｃ）第１の複数の胸部圧迫中に測定された圧迫速度を受信するステップと、
（ｉｉ）（ｄ）測定された圧迫速度を必要最小限の圧迫速度と比較するステップと、
（ｉｉ）（ｅ）測定された圧迫速度が必要最小限の圧迫速度よりも大きい場合、ステップ（ｉｉｉ）に進むステップと、
（ｉｉ）（ｆ）測定された圧迫速度が必要最小限の圧迫速度よりも小さい場合、ＣＰＲカウンタがゼロに等しくない場合、ＣＰＲカウンタを１つ減らし、第５のフィードバック信号を生成し、ステップ（ｉｉ）（ｂ）に進むステップと、
（ｉｉ）（ｇ）測定された圧迫速度が必要最小限の圧迫速度よりも小さい場合、ＣＰＲカウンタがゼロに等しい場合、ステップ（ｉｉｉ）に進むステップと、
を含むように変更することができる。
【００１４】
ステップ（ｉｉ）（ｆ）は、測定された圧迫速度が必要最小限の圧迫速度よりも小さい場合、ＣＰＲカウンタがゼロに等しくない場合、ＣＰＲカウンタを１つ減らし、第５のフィードバック信号を生成し、複数の圧迫を待ち、ステップ（ｉｉ）（ｂ）に進むステップを含むことができる。
【００１５】
或いは、ステップ（ｉｉ）は、
（ｉｉ）（ａ）ＣＰＲカウンタを、ｘに等しく設定するステップと、
（ｉｉ）（ｂ）個人による第１の複数の胸部圧迫中に測定された圧迫信号を受信するステップと、
（ｉｉ）（ｃ）第１の複数の胸部圧迫中に測定された圧迫速度を受信するステップと、
（ｉｉ）（ｄ）測定された圧迫速度を必要最大限の圧迫速度と比較するステップと、
（ｉｉ）（ｅ）測定された圧迫速度が必要最大限の圧迫速度よりも小さい場合、ステップ（ｉｉｉ）に進むステップと、
（ｉｉ）（ｆ）測定された圧迫速度が必要最大限の圧迫速度よりも大きい場合、ＣＰＲカウンタがゼロに等しくない場合、ＣＰＲカウンタを１つ減らし、第６のフィードバック信号を生成し、ステップ（ｉｉ）（ｂ）に進むステップと、
（ｉｉ）（ｇ）測定された圧迫速度が必要最大限の圧迫速度よりも大きい場合、ＣＰＲカウンタがゼロに等しい場合、ステップ（ｉｉｉ）に進むステップと、
を含むように変更することができる。
【００１６】
ステップ（ｉｉ）（ｆ）は、測定された圧迫速度が必要最大限の圧迫速度よりも大きい場合、ＣＰＲカウンタがゼロに等しくない場合、ＣＰＲカウンタを１つ減らし、第６のフィードバック信号を生成し、複数の圧迫を待ち、ステップ（ｉｉ）（ｂ）に進むステップを含むことができる。
【００１７】
或いは、ステップ（ｉｉ）は、
（ｉｉ）（ａ）ＣＰＲカウンタを、ｘに等しく設定するステップと、
（ｉｉ）（ｂ）個人による第１の複数の胸部圧迫中に測定された圧迫信号を受信するステップと、
（ｉｉ）（ｃ）第１の複数の胸部圧迫中に測定された圧迫速度を受信するステップと、
（ｉｉ）（ｄ）測定された圧迫速度を、必要最小限の圧迫速度および必要最大限の圧迫速度と比較するステップと、
（ｉｉ）（ｅ）測定された圧迫速度が必要最小限の圧迫速度よりも大きい場合、測定された圧迫速度が必要最大限の圧迫速度よりも小さい場合、ステップ（ｉｉｉ）に進むステップと、
（ｉｉ）（ｆ）測定された圧迫速度が必要最小限の圧迫速度よりも小さい場合、ＣＰＲカウンタがゼロに等しくない場合、ＣＰＲカウンタを１つ減らし、第５のフィードバック信号を生成し、ステップ（ｉｉ）（ｂ）に進むステップと、
（ｉｉ）（ｇ）測定された圧迫速度が必要最小限の圧迫速度よりも小さい場合、ＣＰＲカウンタがゼロに等しい場合、ステップ（ｉｉｉ）に進むステップと、
（ｉｉ）（ｈ）測定された圧迫速度が必要最大限の圧迫速度よりも大きい場合、ＣＰＲカウンタがゼロに等しくない場合、ＣＰＲカウンタを１つ減らし、第６のフィードバック信号を生成し、ステップ（ｉｉ）（ｂ）に進むステップと、
（ｉｉ）（ｉ）測定された圧迫速度が必要最大限の圧迫速度よりも大きい場合、ＣＰＲカウンタがゼロに等しい場合、ステップ（ｉｉｉ）に進むステップと、
を含むように変更することができる。
【００１８】
ステップ（ｉｉ）（ｆ）は、測定された圧迫速度が必要最小限の圧迫速度よりも小さい場合、ＣＰＲカウンタがゼロに等しくない場合、ＣＰＲカウンタを１つ減らし、第５のフィードバック信号を生成し、複数の圧迫を待ち、ステップ（ｉｉ）（ｂ）に進むステップを含むことができる。
【００１９】
ステップ（ｉｉ）（ｈ）は、測定された圧迫速度が必要最大限の圧迫速度よりも大きい場合、ＣＰＲカウンタがゼロに等しくない場合、ＣＰＲカウンタを１つ減らし、第６のフィードバック信号を生成し、複数の圧迫を待ち、ステップ（ｉｉ）（ｂ）に進むステップを含むことができる。
【００２０】
ステップ（ｖ）は、
（ｖ）（ａ）ＣＰＲカウンタを、ｘに等しく設定するステップと、
（ｖ）（ｂ）個人による更なる複数の胸部圧迫中に測定された圧迫信号を受信するステップと、
（ｖ）（ｃ）更なる複数の胸部圧迫中に測定された圧迫速度を受信するステップと、
（ｖ）（ｄ）測定された圧迫速度を必要最小限の圧迫速度と比較するステップと、
（ｖ）（ｅ）測定された圧迫速度が必要最小限の圧迫速度よりも大きい場合、ステップ（ｖｉ）に進むステップと、
（ｖ）（ｆ）測定された圧迫速度が必要最小限の圧迫速度よりも小さい場合、ＣＰＲカウンタがゼロに等しくない場合、ＣＰＲカウンタを１つ減らし、第５のフィードバック信号を生成し、ステップ（ｖ）（ｂ）に進むステップと、
（ｖ）（ｇ）測定された圧迫速度が必要最小限の圧迫速度よりも小さい場合、ＣＰＲカウンタがゼロに等しい場合、ステップ（ｖｉ）に進むステップと、
を含むように変更することができる。
【００２１】
ステップ（ｖ）（ｆ）は、測定された圧迫速度が必要最小限の圧迫速度よりも小さい場合、ＣＰＲカウンタがゼロに等しくない場合、ＣＰＲカウンタを１つ減らし、第５のフィードバック信号を生成し、複数の圧迫を待ち、ステップ（ｖ）（ｂ）に進むステップを含むことができる。
【００２２】
或いは、ステップ（ｖ）は、
（ｖ）（ａ）ＣＰＲカウンタを、ｘに等しく設定するステップと、
（ｖ）（ｂ）個人による更なる複数の胸部圧迫中に測定された圧迫信号を受信するステップと、
（ｖ）（ｃ）更なる複数の胸部圧迫中に測定された圧迫速度を受信するステップと、
（ｖ）（ｄ）測定された圧迫速度を必要最大限の圧迫速度と比較するステップと、
（ｖ）（ｅ）測定された圧迫速度が必要最大限の圧迫速度よりも小さい場合、ステップ（ｖｉ）に進むステップと、
（ｖ）（ｆ）測定された圧迫速度が必要最大限の圧迫速度よりも大きい場合、ＣＰＲカウンタがゼロに等しくない場合、ＣＰＲカウンタを１つ減らし、第６のフィードバック信号を生成し、ステップ（ｖ）（ｂ）に進むステップと、
（ｖ）（ｇ）測定された圧迫速度が必要最大限の圧迫速度よりも大きい場合、ＣＰＲカウンタがゼロに等しい場合、ステップ（ｖｉ）に進むステップと、
を含むように変更することができる。
【００２３】
ステップ（ｖ）（ｆ）は、測定された圧迫速度が必要最大限の圧迫速度よりも大きい場合、ＣＰＲカウンタがゼロに等しくない場合、ＣＰＲカウンタを１つ減らし、第６のフィードバック信号を生成し、複数の圧迫を待ち、ステップ（ｖ）（ｂ）に進むステップを含むことができる。
【００２４】
或いは、ステップ（ｖ）は、
（ｖ）（ａ）ＣＰＲカウンタを、ｘに等しく設定するステップと、
（ｖ）（ｂ）個人による更なる複数の胸部圧迫中に測定された圧迫信号を受信するステップと、
（ｖ）（ｃ）更なる複数の胸部圧迫中に測定された圧迫速度を受信するステップと、
（ｖ）（ｄ）測定された圧迫速度を必要最小限の圧迫速度および必要最大限の圧迫速度と比較するステップと、
（ｖ）（ｅ）測定された圧迫速度が必要最小限の圧迫速度よりも大きい場合、測定された圧迫速度が必要最大限の圧迫速度よりも小さい場合、ステップ（ｖｉ）に進むステップと、
（ｖ）（ｆ）測定された圧迫速度が必要最小限の圧迫速度よりも小さい場合、ＣＰＲカウンタがゼロに等しくない場合、ＣＰＲカウンタを１つ減らし、第５のフィードバック信号を生成し、ステップ（ｖ）（ｂ）に進むステップと、
（ｖ）（ｇ）測定された圧迫速度が必要最小限の圧迫速度よりも小さい場合、ＣＰＲカウンタがゼロに等しい場合、ステップ（ｖｉ）に進むステップと、
（ｖ）（ｈ）測定された圧迫速度が必要最大限の圧迫速度よりも大きい場合、ＣＰＲカウンタがゼロに等しくない場合、ステップ（ｖ）（ｂ）に進むステップと、
（ｖ）（ｉ）測定された圧迫速度が必要最大限の圧迫速度よりも大きい場合、ＣＰＲカウンタがゼロに等しい場合、ステップ（ｖｉ）に進むステップと、
を含むように変更することができる。
【００２５】
ステップ（ｖ）（ｆ）は、測定された圧迫速度が必要最小限の圧迫速度よりも小さい場合、ＣＰＲカウンタがゼロに等しくない場合、ＣＰＲカウンタを１つ減らし、第５のフィードバック信号を生成し、複数の圧迫を待ち、ステップ（ｖ）（ｂ）に進むステップを含むことができる。
【００２６】
ステップ（ｖ）（ｈ）は、測定された圧迫速度が必要最大限の圧迫速度よりも大きい場合、ＣＰＲカウンタがゼロに等しくない場合、ＣＰＲカウンタを１つ減らし、第６のフィードバック信号を生成し、複数の圧迫を待ち、ステップ（ｖ）（ｂ）に進むステップを含むことができる。
【００２７】
ＣＰＲ評価システムは、ステップ（ｉｉｉ）の後に、
（ｉｉｉ）（ａ）個人の第１のＣＰＲパフォーマンス測定値を最小のＣＰＲパフォーマンス測定値と比較し、第１のＣＰＲパフォーマンス測定値が最小のＣＰＲパフォーマンス測定値よりも大きい場合、ステップ（ｉｖ）に進み、第１のＣＰＲパフォーマンス測定値が最小のＣＰＲパフォーマンス測定値よりも小さい場合、第３のプロンプト信号を生成し、ステップ（ｉｉ）に戻るステップ
を行うように構成することができる。
【００２８】
ステップ（ｉｉｉ）（ａ）は、第１のＣＰＲパフォーマンス測定値が最小のＣＰＲパフォーマンス測定値よりも小さい場合、第３のプロンプト信号を生成し、複数の圧迫を待ち、ステップ（ｉｉ）に戻るステップを含むことができる。
【００２９】
ＣＰＲ評価システムは、ステップ（ｉｉｉ）（ａ）の後に、
（ｉｉｉ）（ｂ）個人の第１のＣＰＲパフォーマンス測定値を最大のＣＰＲパフォーマンス測定値と比較し、第１のＣＰＲパフォーマンス測定値が最大のＣＰＲパフォーマンス測定値よりも小さい場合、ステップ（ｉｖ）に進み、第１のＣＰＲパフォーマンス測定値が最大のＣＰＲパフォーマンス測定値よりも大きい場合、第７のプロンプト信号を生成し、ステップ（ｉｉ）に戻るステップ
を行うように構成することができる。
【００３０】
ステップ（ｉｉｉ）（ｂ）は、第１のＣＰＲパフォーマンス測定値が最大のＣＰＲパフォーマンス測定値よりも大きい場合、第７のプロンプト信号を生成し、複数の圧迫を待ち、ステップ（ｉｉ）に戻るステップを含むことができる。
【００３１】
ＣＰＲ評価システムは、ステップ（ｖｉ）の後に、
（ｖｉ）（ａ）個人の更なるＣＰＲパフォーマンス測定値を最小のＣＰＲパフォーマンス測定値と比較し、更なるＣＰＲパフォーマンス測定値が最小のＣＰＲパフォーマンス測定値よりも大きい場合、ステップ（ｖｉｉ）に進み、更なるＣＰＲパフォーマンス測定値が最小のＣＰＲパフォーマンス測定値よりも小さい場合、第３のプロンプト信号を生成し、ステップ（ｖ）に進むステップ
を行うように構成することができる。
【００３２】
ステップ（ｖｉ）（ａ）は、更なるＣＰＲパフォーマンス測定値が最小のＣＰＲパフォーマンス測定値よりも小さい場合、第３のプロンプト信号を生成し、複数の圧迫を待ち、ステップ（ｖ）に戻るステップを含むことができる。
【００３３】
ＣＰＲ評価システムは、ステップ（ｖｉ）（ａ）の後に、
（ｖｉ）（ｂ）個人の更なるＣＰＲパフォーマンス測定値を最大のＣＰＲパフォーマンス測定値と比較し、更なるＣＰＲパフォーマンス測定値が最大のＣＰＲパフォーマンス測定値よりも小さい場合、ステップ（ｖｉｉ）に進み、更なるＣＰＲパフォーマンス測定値が最大のＣＰＲパフォーマンス測定値よりも大きい場合、第７のプロンプト信号を生成し、ステップ（ｖ）に戻るステップ
を行うように構成することができる。
【００３４】
ステップ（ｖｉ）（ｂ）は、更なるＣＰＲパフォーマンス測定値が最大のＣＰＲパフォーマンス測定値よりも大きい場合、第７のプロンプト信号を生成し、複数の圧迫を待ち、ステップ（ｖ）に戻るステップを含むことができる。
【００３５】
最小のＣＰＲパフォーマンス測定値および最大のＣＰＲパフォーマンス測定値は、ＣＰＲパフォーマンスの予め定められた許容範囲の極限値を含むことができる。
【００３６】
第１のＣＰＲパフォーマンス測定値は、測定公差を含むことができる。更なるＣＰＲパフォーマンス測定値は、測定公差を含むことができる。測定公差は約１０％であってもよい。
【００３７】
ＣＰＲ測定システムは、個人による第１の複数の胸部圧迫中、および個人による更なる複数の胸部圧迫中に、胸部圧迫中の被験者の胸部の変位信号を含む圧迫信号を測定することができる。被験者の胸部の変位信号は、被験者の胸部に配置された加速度計を使用して測定することができる。ＣＰＲ評価システムは、個人による第１の複数の胸部圧迫の間に変位信号の振幅を測定し、平均をとることにより、個人の第１のＣＰＲパフォーマンス測定値を確立することができる。ＣＰＲ評価システムは、個人による更なる複数の胸部圧迫の間に変位信号の振幅を測定し、平均をとることにより、個人の更なるＣＰＲパフォーマンス測定値を確立することができる。
【００３８】
ＣＰＲ測定システムは、個人による第１の複数の胸部圧迫中、および個人による更なる複数の胸部圧迫中に、胸部圧迫中の被験者の圧迫感度生理信号を含む圧迫信号を測定することができる。被験者の圧迫感度生理信号は、胸部インピーダンス信号、呼気終末ＣＯ２信号、血圧信号、ＳｐＯ２信号、ｒＳＯ２信号、心電図信号のいずれかを含むことができる。ＣＰＲ評価システムは、個人による第１の複数の胸部圧迫の間に被験者の圧迫感度生理信号の振幅を測定し、平均をとることにより、個人の第１のＣＰＲパフォーマンス測定値を確立することができる。ＣＰＲ評価システムは、個人による更なる複数の胸部圧迫の間に被験者の圧迫感度生理信号の振幅を測定し、平均をとることにより、個人の更なるＣＰＲパフォーマンス測定値を確立することができる。
【００３９】
個人による第１の複数の胸部圧迫と更なる複数の胸部圧迫との間における被験者の圧迫感度生理信号の平均振幅の増加は、個人のＣＰＲパフォーマンスが改善していることを示す。個人による第１の複数の胸部圧迫と更なる複数の胸部圧迫との間における被験者の圧迫感度生理信号の平均振幅の減少は、個人のＣＰＲパフォーマンスが低下していることを示す。
【００４０】
ＣＰＲ測定システムは、個人による被験者に対する胸部圧迫中に圧迫速度を測定することができる。
【００４１】
フィードバックユニットは、第１のフィードバック信号を受信し、「ＣＰＲ開始、強く押す（Ｓｔａｒｔ  ＣＰＲ  ａｎｄ  Ｐｕｓｈ  Ｈａｒｄ）」という命令の形でＣＰＲフィードバックを個人に発することができる。フィードバックユニットは、第２のフィードバック信号を受信し、「続ける（Ｋｅｅｐ  Ｇｏｉｎｇ）」という命令の形でＣＰＲフィードバックを個人に発することができる。フィードバックユニットは、第３のフィードバック信号を受信し、「より強く押す（Ｐｕｓｈ  Ｈａｒｄｅｒ）」という命令の形でＣＰＲフィードバックを個人に発することができる。フィードバックユニットは、第４のフィードバック信号を受信し、「ＣＰＲ停止（Ｓｔｏｐ  ＣＰＲ）」という命令の形でＣＰＲフィードバックを個人に発することができる。フィードバックユニットは、第５のフィードバック信号を受信し、「より速く押す（Ｐｕｓｈ  Ｆａｓｔｅｒ）」という命令の形でＣＰＲフィードバックを個人に発することができる。フィードバックユニットは、第６のフィードバック信号を受信し、「よりゆっくり押す（Ｐｕｓｈ  Ｓｌｏｗｅｒ）」という命令の形でＣＰＲフィードバックを個人に発することができる。フィードバックユニットは、第７のフィードバック信号を受信し、「より優しく押す（Ｐｕｓｈ  Ｓｏｆｔｅｒ）」という命令の形でＣＰＲフィードバックを個人に発することができる。
【図面の簡単な説明】
【００４２】
ここで、以下の図面を参照して、本発明の実施形態を例として説明する。
【図１】図１は、本発明による除細動器の概略図である。
【図２】図２は、図１の除細動器のＣＰＲ評価システムによって行われるステップのフローチャートである。
【発明を実施するための形態】
【００４３】
図１を参照すると、除細動器２０は、生体信号測定システム２２と、ＣＰＲ測定システム２４と、ＣＰＲ評価システム２６と、フィードバックユニット２８とを具える。除細動器２０は、個人（図示せず）が被験者（図示せず）に対して行ったＣＰＲを評価し、ＣＰＲフィードバックを個人に提供する。
【００４４】
除細動器２０が、起動機構、生体信号処理システム、除細動ショック発生回路、電源、および被験者に取り付けるよう適合された感知ユニット等の他の要素を含むことが理解されよう。
【００４５】
生体信号測定システム２２は、検知ユニットに接続され、被験者の生体信号、本実施形態ではＥＣＧ生体信号を測定するように構成される。アルゴリズムは、ＥＣＧ生体信号を使用して、被験者が除細動ショックを必要とする状態またはＣＰＲを必要とする状態を示しているかどうかを判断する。ＣＰＲが必要な場合、生体信号測定システム２２は、ＣＰＲ開始信号を生成するように構成される。ＣＰＲを停止すべき場合、生体信号測定システム２２は、ＣＰＲ停止信号を生成するように構成される。
【００４６】
本実施形態では、ＣＰＲ測定システム２４は、検知ユニットに接続され、個人による胸部圧迫中に圧迫信号を測定する。本実施形態では、圧迫信号は、被験者の胸部インピーダンス信号からなる圧迫感度生理信号を含む。ＣＰＲ測定システム２４は、個人による胸部圧迫中に圧迫速度も測定する。
【００４７】
呼気終末ＣＯ２信号、血圧信号、ＳｐＯ２信号、ｒＳＯ２信号、心電図信号等、他の圧迫感度生理信号を使用できることが理解されよう。また、ＣＰＲ測定システムは、個人による胸部圧迫中に被験者の胸部の変位信号を測定する等、圧迫信号の他の測定方法を使用できることも理解されよう。
【００４８】
ＣＰＲ評価システム２６は、生体信号測定システム２２に接続され、ＣＰＲ開始信号およびＣＰＲ停止信号を受信する。ＣＰＲ開始信号を受信すると、ＣＰＲ評価システム２６は複数の胸部圧迫を通して圧迫信号を受信し、個人による被験者へのＣＰＲパフォーマンスの評価を開始する。これは、図２を参照して以下で説明される幾つかのステップを行うことを含む。ＣＰＲ停止信号を受信すると、ＣＰＲ評価システム２６は、個人による被験者へのＣＰＲパフォーマンスの評価を停止する。
【００４９】
ＣＰＲ評価システム２６は、ＣＰＲ測定システム２４に接続され、胸部インピーダンス信号を含む胸部圧迫を示す圧迫信号を受信し、これらを使用して、個人が対象者に対して行った複数の胸部圧迫を通して個人のＣＰＲパフォーマンスを評価する。ＣＰＲ評価システム２６は、個人による複数の胸部圧迫毎の胸部インピーダンス信号の振幅を測定し、平均をとることにより、個人のＣＰＲパフォーマンス測定値を確立する。
【００５０】
個人のＣＰＲパフォーマンスの評価中に、ＣＰＲ評価システム２６は様々なフィードバック信号を生成する。フィードバックユニット２８は、ＣＰＲ評価システム２６に接続され、フィードバック信号を受信し、ＣＰＲフィードバックを個人に発するように構成される。
【００５１】
図２を参照して、図１の除細動器２０のＣＰＲ評価システム２６によって行われるステップを以下に説明する。
【００５２】
ＣＰＲ開始信号を受信すると、ＣＰＲ評価システム２６は、第１のフィードバック信号を生成する。これは、フィードバックユニット２８によって受信され、フィードバックユニット２８は、被験者に対してＣＰＲを行う個人に、「ＣＰＲ開始、強く押す（Ｓｔａｒｔ  ＣＰＲ  ａｎｄ  Ｐｕｓｈ  Ｈａｒｄ）」という命令の形でＣＰＲフィードバックを発する。
【００５３】
次に、ＣＰＲ評価システム２６は、第１の複数の胸部圧迫中にＣＰＲ測定システム２４によって測定された圧迫信号を受信し、その圧迫信号を使用して、個人の第１のＣＰＲパフォーマンス測定値を確立する。次に、個人のＣＰＲパフォーマンスベースラインが、個人の第１のＣＰＲパフォーマンス測定値に等しくなるように設定される。
【００５４】
次に、ＣＰＲ評価システム２６は、更なる複数の胸部圧迫中にＣＰＲ測定システム２４によって測定された圧迫信号を受信し、その圧迫信号を使用して、個人の更なるＣＰＲパフォーマンス測定値を確立する。
【００５５】
次に、ＣＰＲ評価システム２６は、個人の更なるＣＰＲパフォーマンス測定値を、個人のＣＰＲパフォーマンスベースラインと比較する。更なるＣＰＲパフォーマンス測定値がＣＰＲパフォーマンスベースラインよりも大きい場合、ＣＰＲ評価システム２６は、第２のフィードバック信号を生成するとともに、ＣＰＲパフォーマンスベースラインを、更なるＣＰＲパフォーマンス測定値に等しく設定する。フィードバックユニット２８は、第２のフィードバック信号を受信し、被験者に対してＣＰＲを行う個人に、「続ける（Ｋｅｅｐ  Ｇｏｉｎｇ）」という命令の形でＣＰＲフィードバックを発する。この命令は、同じ力で胸部圧迫を続けるよう個人に促すことを意図する。
【００５６】
個人の更なるＣＰＲパフォーマンス測定値が個人のＣＰＲパフォーマンスベースラインよりも小さい場合、ＣＰＲ評価システム２６は、第３のフィードバック信号を生成する。フィードバックユニット２８は、第３のフィードバック信号を受信し、被験者に対してＣＰＲを行う個人に、「より強く押す（Ｐｕｓｈ  Ｈａｒｄｅｒ）」という命令の形でＣＰＲフィードバックを発する。この命令は、胸部圧迫でより力を加えるように個人に促すことを意図する。
【００５７】
次に、ＣＰＲ評価システム２６は、生体信号測定システム２２からのＣＰＲ停止信号の受信を確認する。ＣＰＲ停止信号が受信されていない場合、ＣＰＲ評価システム２６は、個人による更なる複数の胸部圧迫中に圧迫信号を受信するステップに戻る。ＣＰＲ停止信号が受信されると、ＣＰＲ評価システム２６は、第４のフィードバック信号を生成する。フィードバックユニット２８は、第４のフィードバック信号を受信し、被験者に対してＣＰＲを行う個人に、「ＣＰＲ停止（Ｓｔｏｐ  ＣＰＲ）」という命令の形でＣＰＲフィードバックを発する。
【００５８】
ＣＰＲ評価システム２６によって行われるステップに対して様々な修正を行うことができる。
【００５９】
ステップ（ｖｉｉｉ）乃至（ｘ）は、
（ｖｉｉｉ）更なるＣＰＲパフォーマンス測定値がＣＰＲパフォーマンスベースラインよりも大きい場合、第２のフィードバック信号を生成するとともに、ＣＰＲパフォーマンスベースラインを、更なるＣＰＲパフォーマンス測定値に等しく設定し、ステップ（ｘ）（ａ）に進むステップと、
（ｉｘ）更なるＣＰＲパフォーマンス測定値がＣＰＲパフォーマンスベースラインよりも小さい場合、第３のフィードバック信号を生成し、ステップ（ｘ）（ｂ）に進むステップと、
（ｘ）（ａ）ＣＰＲ停止信号が受信されない場合、ステップ（ｖ）に戻るステップと、
（ｘ）（ｂ）ＣＰＲ停止信号が受信されない場合、複数の胸部圧迫を待ち、ステップ（ｖ）に戻るステップと、
を含むように変更することができる。
【００６０】
これにより、いくつかの胸部圧迫の間にＣＰＲを行う個人が、ＣＰＲパフォーマンスを第１の複数の胸部圧迫中に評価されたベースラインレベルに戻すことが可能になる。
【００６１】
ステップ（ｖｉｉｉ）乃至（ｘ）は、
（ｖｉｉｉ）更なるＣＰＲパフォーマンス測定値がＣＰＲパフォーマンスベースラインよりも大きい場合、第２のフィードバック信号を生成するとともに、ＣＰＲパフォーマンスベースラインを、更なるＣＰＲパフォーマンス測定値に等しく設定し、ステップ（ｘ）（ａ）に進むステップと、
（ｉｘ）更なるＣＰＲパフォーマンス測定値がＣＰＲパフォーマンスベースラインよりも小さい場合、第３のフィードバック信号を生成し、ステップ（ｘ）（ｂ）に進むステップと、
（ｘ）（ａ）ＣＰＲ停止信号が受信されない場合、複数の胸部圧迫を待ち、ステップ（ｖ）に戻るステップと、
（ｘ）（ｂ）ＣＰＲ停止信号が受信されない場合、ステップ（ｖ）に戻るステップと、
を含むように変更することができる。
【００６２】
ステップ（ｖｉｉｉ）乃至（ｘ）は、
（ｖｉｉｉ）更なるＣＰＲパフォーマンス測定値がＣＰＲパフォーマンスベースラインよりも大きい場合、第２のフィードバック信号を生成するとともに、ＣＰＲパフォーマンスベースラインを、更なるＣＰＲパフォーマンス測定値に等しく設定し、ステップ（ｘ）（ａ）に進むステップと、
（ｉｘ）更なるＣＰＲパフォーマンス測定値がＣＰＲパフォーマンスベースラインよりも小さい場合、第３のフィードバック信号を生成し、ステップ（ｘ）（ｂ）に進むステップと、
（ｘ）（ａ）ＣＰＲ停止信号が受信されない場合、複数の胸部圧迫を待ち、ステップ（ｖ）に戻るステップと、
（ｘ）（ｂ）ＣＰＲ停止信号が受信されない場合、複数の胸部圧迫を待ち、ステップ（ｖ）に戻るステップと、
を含むように変更することができる。
【００６３】
ステップ（ｉｉ）乃至（ｉｖ）は、
（ｉｉ）第１の複数の胸部圧迫中に測定された第１の圧迫信号と、第２の複数の胸部圧迫中に測定された少なくとも第２の圧迫信号とを受信するステップと、
（ｉｉｉ）第１の圧迫信号を使用して、個人の第１のＣＰＲパフォーマンス測定値を確立するとともに、少なくとも第２の圧迫信号を使用して、個人の少なくとも第２のＣＰＲパフォーマンス測定値を確立するステップと、
（ｉｖ）ＣＰＲパフォーマンスベースラインを、第１のＣＰＲパフォーマンス測定値および少なくとも第２のＣＰＲパフォーマンス測定値のうちの大きい方に等しく設定するステップと、
を含むように変更することができる。
【００６４】
ステップ（ｖ）乃至（ｘ）は、
（ｖ）（ａ）ＣＰＲカウンタを、ｘに等しく設定するステップと、
（ｖ）（ｂ）更なる複数の胸部圧迫中に測定された圧迫信号を受信するステップと、
（ｖｉ）圧迫信号を使用して、更なるＣＰＲパフォーマンス測定値を確立するステップと、
（ｖｉｉ）更なるＣＰＲパフォーマンス測定値をＣＰＲパフォーマンスベースラインと比較するステップと、
（ｖｉｉｉ）更なるＣＰＲパフォーマンス測定値がＣＰＲパフォーマンスベースラインよりも大きい場合、第２のフィードバック信号を生成するとともに、ＣＰＲパフォーマンスベースラインを、更なるＣＰＲパフォーマンス測定値に等しく設定し、ステップ（ｘ）（ａ）に進むステップと、
（ｉｘ）（ａ）ＣＰＲパフォーマンス測定値がＣＰＲパフォーマンスベースラインよりも小さい場合、ＣＰＲカウンタがゼロに等しくない場合、第３のフィードバック信号を生成するとともに、ＣＰＲカウンタを１つ減らし、（ｘ）（ｂ）に進むステップと、
（ｉｘ）（ｂ）更なるＣＰＲパフォーマンス測定値がＣＰＲパフォーマンスベースラインよりも小さい場合、ＣＰＲカウンタがゼロに等しい場合、第２のフィードバック信号を生成するとともに、ＣＰＲパフォーマンスベースラインを下げ、ステップ（ｘ）（ａ）に進むステップと、
（ｘ）（ａ）ＣＰＲ停止信号が受信されない場合、ステップ（ｖ）（ａ）に戻るステップと、
（ｘ）（ｂ）ＣＰＲ停止信号が受信されない場合、ステップ（ｖ）（ｂ）に戻るステップと、
を含むように変更することができる。
【００６５】
ＣＰＲパフォーマンスベースラインを下げるステップは、ＣＰＲパフォーマンスベースラインを、更なるＣＰＲパフォーマンス測定値に等しく設定するステップを含むことができる。ＣＰＲパフォーマンスベースラインを下げるステップは、ＣＰＲパフォーマンスベースラインを、更なるＣＰＲパフォーマンス測定値のうちの大きい方に等しく設定するステップを含むことができる。
【００６６】
ステップ（ｘ）（ａ）は、ＣＰＲ停止信号が受信されない場合、複数の圧迫を待ち、ステップ（ｖ）（ａ）に戻るステップを含むことができる。ステップ（ｘ）（ｂ）は、ＣＰＲ停止信号が受信されない場合、複数の圧迫を待ち、ステップ（ｖ）（ｂ）に戻るステップを含むことができる。
【００６７】
ステップ（ｉｉ）は、
（ｉｉ）（ａ）ＣＰＲカウンタを、ｘに等しく設定するステップと、
（ｉｉ）（ｂ）第１の複数の胸部圧迫中に測定された圧迫信号を受信するステップと、
（ｉｉ）（ｃ）第１の複数の胸部圧迫中に測定された圧迫速度を受信するステップと、
（ｉｉ）（ｄ）測定された圧迫速度を必要最小限の圧迫速度と比較するステップと、
（ｉｉ）（ｅ）測定された圧迫速度が必要最小限の圧迫速度よりも大きい場合、ステップ（ｉｉｉ）に進むステップと、
（ｉｉ）（ｆ）測定された圧迫速度が必要最小限の圧迫速度よりも小さい場合、ＣＰＲカウンタがゼロに等しくない場合、ＣＰＲカウンタを１つ減らし、第５のフィードバック信号を生成し、ステップ（ｉｉ）（ｂ）に進むステップと、
（ｉｉ）（ｇ）測定された圧迫速度が必要最小限の圧迫速度よりも小さい場合、ＣＰＲカウンタがゼロに等しい場合、ステップ（ｉｉｉ）に進むステップと、
を含むように変更することができる。
【００６８】
ステップ（ｉｉ）（ｆ）は、測定された圧迫速度が必要最小限の圧迫速度よりも小さい場合、ＣＰＲカウンタがゼロに等しくない場合、ＣＰＲカウンタを１つ減らし、第５のフィードバック信号を生成し、複数の圧迫を待ち、ステップ（ｉｉ）（ｂ）に進むステップを含むことができる。
【００６９】
或いは、ステップ（ｉｉ）は、
（ｉｉ）（ａ）ＣＰＲカウンタを、ｘに等しく設定するステップと、
（ｉｉ）（ｂ）第１の複数の胸部圧迫中に測定された圧迫信号を受信するステップと、
（ｉｉ）（ｃ）第１の複数の胸部圧迫中に測定された圧迫速度を受信するステップと、
（ｉｉ）（ｄ）測定された圧迫速度を必要最大限の圧迫速度と比較するステップと、
（ｉｉ）（ｅ）測定された圧迫速度が必要最大限の圧迫速度よりも小さい場合、ステップ（ｉｉｉ）に進むステップと、
（ｉｉ）（ｆ）測定された圧迫速度が必要最大限の圧迫速度よりも大きい場合、ＣＰＲカウンタがゼロに等しくない場合、ＣＰＲカウンタを１つ減らし、第６のフィードバック信号を生成し、ステップ（ｉｉ）（ｂ）に進むステップと、
（ｉｉ）（ｇ）測定された圧迫速度が必要最大限の圧迫速度よりも大きい場合、ＣＰＲカウンタがゼロに等しい場合、ステップ（ｉｉｉ）に進むステップと、
を含むように変更することができる。
【００７０】
ステップ（ｉｉ）（ｆ）は、測定された圧迫速度が必要最大限の圧迫速度よりも大きい場合、ＣＰＲカウンタがゼロに等しくない場合、ＣＰＲカウンタを１つ減らし、第６のフィードバック信号を生成し、複数の圧迫を待ち、ステップ（ｉｉ）（ｂ）に進むステップを含むことができる。
【００７１】
或いは、ステップ（ｉｉ）は、
（ｉｉ）（ａ）ＣＰＲカウンタを、ｘに等しく設定するステップと、
（ｉｉ）（ｂ）第１の複数の胸部圧迫中に測定された圧迫信号を受信するステップと、
（ｉｉ）（ｃ）第１の複数の胸部圧迫中に測定された圧迫速度を受信するステップと、
（ｉｉ）（ｄ）測定された圧迫速度を、必要最小限の圧迫速度および必要最大限の圧迫速度と比較するステップと、
（ｉｉ）（ｅ）測定された圧迫速度が必要最小限の圧迫速度よりも大きい場合、測定された圧迫速度が必要最大限の圧迫速度よりも小さい場合、ステップ（ｉｉｉ）に進むステップと、
（ｉｉ）（ｆ）測定された圧迫速度が必要最小限の圧迫速度よりも小さい場合、ＣＰＲカウンタがゼロに等しくない場合、ＣＰＲカウンタを１つ減らし、第５のフィードバック信号を生成し、ステップ（ｉｉ）（ｂ）に進むステップと、
（ｉｉ）（ｇ）測定された圧迫速度が必要最小限の圧迫速度よりも小さい場合、ＣＰＲカウンタがゼロに等しい場合、ステップ（ｉｉｉ）に進むステップと、
（ｉｉ）（ｈ）測定された圧迫速度が必要最大限の圧迫速度よりも大きい場合、ＣＰＲカウンタがゼロに等しくない場合、ＣＰＲカウンタを１つ減らし、第６のフィードバック信号を生成し、ステップ（ｉｉ）（ｂ）に進むステップと、
（ｉｉ）（ｉ）測定された圧迫速度が必要最大限の圧迫速度よりも大きい場合、ＣＰＲカウンタがゼロに等しい場合、ステップ（ｉｉｉ）に進むステップと、
を含むように変更することができる。
【００７２】
ステップ（ｉｉ）（ｆ）は、測定された圧迫速度が必要最小限の圧迫速度よりも小さい場合、ＣＰＲカウンタがゼロに等しくない場合、ＣＰＲカウンタを１つ減らし、第５のフィードバック信号を生成し、複数の圧迫を待ち、ステップ（ｉｉ）（ｂ）に進むステップを含むことができる。
【００７３】
ステップ（ｉｉ）（ｈ）は、測定された圧迫速度が必要最大限の圧迫速度よりも大きい場合、ＣＰＲカウンタがゼロに等しくない場合、ＣＰＲカウンタを１つ減らし、第６のフィードバック信号を生成し、複数の圧迫を待ち、ステップ（ｉｉ）（ｂ）に進むステップを含むことができる。
【００７４】
ステップ（ｖ）は、
（ｖ）（ａ）ＣＰＲカウンタを、ｘに等しく設定するステップと、
（ｖ）（ｂ）更なる複数の胸部圧迫中に測定された圧迫信号を受信するステップと、
（ｖ）（ｃ）更なる複数の胸部圧迫中に測定された圧迫速度を受信するステップと、
（ｖ）（ｄ）測定された圧迫速度を、必要最小限の圧迫速度と比較するステップと、
（ｖ）（ｅ）測定された圧迫速度が必要最小限の圧迫速度よりも大きい場合、ステップ（ｖｉ）に進むステップと、
（ｖ）（ｆ）測定された圧迫速度が必要最小限の圧迫速度よりも小さい場合、ＣＰＲカウンタがゼロに等しくない場合、ＣＰＲカウンタを１つ減らし、第５のフィードバック信号を生成し、ステップ（ｖ）（ｂ）に進むステップと、
（ｖ）（ｇ）測定された圧迫速度が必要最小限の圧迫速度よりも小さい場合、ＣＰＲカウンタがゼロに等しい場合、ステップ（ｖｉ）に進むステップと、
を含むように変更することができる。
【００７５】
ステップ（ｖ）（ｆ）は、測定された圧迫速度が必要最小限の圧迫速度よりも小さい場合、ＣＰＲカウンタがゼロに等しくない場合、ＣＰＲカウンタを１つ減らし、第５のフィードバック信号を生成し、複数の圧迫を待ち、ステップ（ｖ）（ｂ）に進むステップを含むことができる。
【００７６】
或いは、ステップ（ｖ）は、
（ｖ）（ａ）ＣＰＲカウンタを、ｘに等しく設定するステップと、
（ｖ）（ｂ）更なる複数の胸部圧迫中に測定された圧迫信号を受信するステップと、
（ｖ）（ｃ）更なる複数の胸部圧迫中に測定された圧迫速度を受信するステップと、
（ｖ）（ｄ）測定された圧迫速度を必要最大限の圧迫速度と比較するステップと、
（ｖ）（ｅ）測定された圧迫速度が必要最大限の圧迫速度よりも小さい場合、ステップ（ｖｉ）に進むステップと、
（ｖ）（ｆ）測定された圧迫速度が必要最大限の圧迫速度よりも大きい場合、ＣＰＲカウンタがゼロに等しくない場合、ＣＰＲカウンタを１つ減らし、第６のフィードバック信号を生成し、ステップ（ｖ）（ｂ）に進むステップと、
（ｖ）（ｇ）測定された圧迫速度が必要最大限の圧迫速度よりも大きい場合、ＣＰＲカウンタがゼロに等しい場合、ステップ（ｖｉ）に進むステップと、
を含むように変更することができる。
【００７７】
ステップ（ｖ）（ｆ）は、測定された圧迫速度が必要最大限の圧迫速度よりも大きい場合、ＣＰＲカウンタがゼロに等しくない場合、ＣＰＲカウンタを１つ減らし、第６のフィードバック信号を生成し、複数の圧迫を待ち、ステップ（ｖ）（ｂ）に進むステップを含むことができる。
【００７８】
或いは、ステップ（ｖ）は、
（ｖ）（ａ）ＣＰＲカウンタを、ｘに等しく設定するステップと、
（ｖ）（ｂ）更なる複数の胸部圧迫中に測定された圧迫信号を受信するステップと、
（ｖ）（ｃ）更なる複数の胸部圧迫中に測定された圧迫速度を受信するステップと、
（ｖ）（ｄ）測定された圧迫速度を、必要最小限の圧迫速度および必要最大限の圧迫速度と比較するステップと、
（ｖ）（ｅ）測定された圧迫速度が必要最小限の圧迫速度よりも大きい場合、測定された圧迫速度が必要最大限の圧迫速度よりも小さい場合、ステップ（ｖｉ）に進むステップと、
（ｖ）（ｆ）測定された圧迫速度が必要最小限の圧迫速度よりも小さい場合、ＣＰＲカウンタがゼロに等しくない場合、ＣＰＲカウンタを１つ減らし、第５のフィードバック信号を生成し、ステップ（ｖ）（ｂ）に進むステップと、
（ｖ）（ｇ）測定された圧迫速度が必要最小限の圧迫速度よりも小さい場合、ＣＰＲカウンタがゼロに等しい場合、ステップ（ｖｉ）に進むステップと、
（ｖ）（ｈ）測定された圧迫速度が必要最大限の圧迫速度よりも大きい場合、ＣＰＲカウンタがゼロに等しくない場合、ＣＰＲカウンタを１つ減らし、第６のフィードバック信号を生成し、ステップ（ｖ）（ｂ）に進むステップと、
（ｖ）（ｉ）測定された圧迫速度が必要最大限の圧迫速度よりも大きい場合、ＣＰＲカウンタがゼロに等しい場合、ステップ（ｖｉ）に進むステップと、
を含むように変更することができる。
【００７９】
ステップ（ｖ）（ｆ）は、測定された圧迫速度が必要最小限の圧迫速度よりも小さい場合、ＣＰＲカウンタがゼロに等しくない場合、ＣＰＲカウンタを１つ減らし、第５のフィードバック信号を生成し、複数の圧迫を待ち、ステップ（ｖ）（ｂ）に進むステップを含むことができる。
【００８０】
ステップ（ｖ）（ｈ）は、測定された圧迫速度が必要最大限の圧迫速度よりも大きい場合、ＣＰＲカウンタがゼロに等しくない場合、ＣＰＲカウンタを１つ減らし、第６のフィードバック信号を生成し、複数の圧迫を待ち、ステップ（ｖ）（ｂ）に進むステップを含むことができる。
【００８１】
必要最小限の圧迫速度は、１分間に約１００回の圧迫を含むことができる。フィードバックユニット２８は、第５のフィードバック信号を受信し、被験者に対してＣＰＲを行う個人に、「より速く押す（Ｐｕｓｈ  Ｆａｓｔｅｒ）」という命令の形でＣＰＲフィードバックを発することができる。
【００８２】
必要最大限の圧迫速度は、１分間に約１２０回の圧迫を含むことができる。フィードバックユニット２８は、第６のフィードバック信号を受信し、被験者に対してＣＰＲを行う個人に、「よりゆっくり押す（Ｐｕｓｈ  Ｓｌｏｗｅｒ）」という命令の形でＣＰＲフィードバックを発することができる。
【００８３】
ＣＰＲ評価システム２６は、ステップ（ｉｉｉ）の後に、
（ｉｉｉ）（ａ）第１のＣＰＲパフォーマンス測定値を最小のＣＰＲパフォーマンス測定値と比較し、第１のＣＰＲパフォーマンス測定値が最小のＣＰＲパフォーマンス測定値よりも大きい場合、ステップ（ｉｖ）に進み、第１のＣＰＲパフォーマンス測定値が最小のＣＰＲパフォーマンス測定値よりも大きい場合、第３のプロンプト信号を生成し、ステップ（ｉｉ）に戻るステップ
を行うように構成することができる。
【００８４】
ステップ（ｉｉｉ）（ａ）は、第１のＣＰＲパフォーマンス測定値が最小のＣＰＲパフォーマンス測定値よりも小さい場合、第３のプロンプト信号を生成し、複数の圧迫を待ち、ステップ（ｉｉ）に戻るステップを含むことができる。
【００８５】
ＣＰＲ評価システム２６は、ステップ（ｉｉｉ）（ａ）の後に、
（ｉｉｉ）（ｂ）第１のＣＰＲパフォーマンス測定値を最大のＣＰＲパフォーマンス測定値と比較し、第１のＣＰＲパフォーマンス測定値が最大のＣＰＲパフォーマンス測定値よりも小さい場合、ステップ（ｉｖ）に進み、第１のＣＰＲパフォーマンス測定値が最大のＣＰＲパフォーマンス測定値よりも大きい場合、第７のプロンプト信号を生成し、ステップ（ｉｉ）に戻るステップ
を行うように構成することができる。
【００８６】
ステップ（ｉｉｉ）（ｂ）は、第１のＣＰＲパフォーマンス測定値が最大のＣＰＲパフォーマンス測定値よりも大きい場合、第７のプロンプト信号を生成し、複数の圧迫を待ち、ステップ（ｉｉ）に戻るステップを含むことができる。
【００８７】
フィードバックユニット２８は、第７のフィードバック信号を受信し、被験者に対してＣＰＲを行う個人に、「より優しく押す（Ｐｕｓｈ  Ｓｏｆｔｅｒ）」という命令の形でＣＰＲフィードバックを発することができる。
【００８８】
ＣＰＲ評価システム２６は、ステップ（ｖｉ）の後に、
（ｖｉ）（ａ）更なるＣＰＲパフォーマンス測定値を最小のＣＰＲパフォーマンス測定値と比較し、更なるＣＰＲパフォーマンス測定値が最小のＣＰＲパフォーマンス測定値よりも大きい場合、ステップ（ｉｖ）に進み、更なるＣＰＲパフォーマンス測定値が最小のＣＰＲパフォーマンス測定値よりも小さい場合、第３のプロンプト信号を生成し、ステップ（ｖ）に戻るステップ
を行うように構成することができる。
【００８９】
ステップ（ｖｉ）（ａ）は、更なるＣＰＲパフォーマンス測定値が最小のＣＰＲパフォーマンス測定値よりも小さい場合、第３のプロンプト信号を生成し、複数の圧迫を待ち、ステップ（ｖ）に戻るステップを含むことができる。
【００９０】
ＣＰＲ評価システム２６は、ステップ（ｖｉ）（ａ）の後に、
（ｖｉ）（ｂ）更なるＣＰＲパフォーマンス測定値を最大のＣＰＲパフォーマンス測定値と比較し、更なるＣＰＲパフォーマンス測定値が最大のＣＰＲパフォーマンス測定値よりも小さい場合、ステップ（ｖｉｉ）に進み、更なるＣＰＲパフォーマンス測定値が最大のＣＰＲパフォーマンス測定値よりも大きい場合、第７のプロンプト信号を生成し、ステップ（ｖ）に戻るステップ
を行うように構成することができる。
【００９１】
ステップ（ｖｉ）（ｂ）は、更なるＣＰＲパフォーマンス測定値が最大のＣＰＲパフォーマンス測定値よりも大きい場合、第７のプロンプト信号を生成し、複数の圧迫を待ち、ステップ（ｖ）に戻るステップを含むことができる。
【００９２】
除細動器のＣＰＲ評価システムは、個人の後に続くＣＰＲパフォーマンスを個人の以前のＣＰＲパフォーマンスと繰り返し比較する、つまり、「ＣＰＲパフォーマンスの自己比較」を行うことがわかるだろう。次に、適応するＣＰＲフィードバック、つまり、ＣＰＲパフォーマンスの比較結果に応じたＣＰＲフィードバックが個人に提供される。
【図１】
2020131037.tif 000003
【図２】
2020131037.tif 000004
【外国語明細書】
2020131037000001.pdf